【手続補正書】
【提出日】平成16年9月30日(2004.9.30)
【手続補正１】
【補正対象書類名】明細書
【補正対象項目名】発明の名称
【補正方法】変更
【補正の内容】
【発明の名称】インターホン装置及びインターホンにおける室内呼出方法
【手続補正２】
【補正対象書類名】明細書
【補正対象項目名】特許請求の範囲
【補正方法】変更
【補正の内容】
【特許請求の範囲】
【請求項１】
複数の玄関子機と複数の室内子機と前記玄関子機及び前記室内子機が接続される親機とからなるインターホン装置において、前記親機及び前記室内子機は、前記複数の玄関子機からの着信信号をそれぞれ検出する着信検出手段と、この着信検出手段により検出された前記玄関子機からの着信信号に基づいて着信音の鳴動や着信の表示を行なう着信動作をさせるか否か予め設定する子機選択スイッチと、親機と室内子機との間或いは室内子機間で呼び出しを行う室内呼出手段と、この室内呼出手段により室内呼びが行われた場合に、室内呼びを行った親機或いは室内子機の子機選択スイッチの設定内容と同じ設定内容の親機或いは室内子機を自グループとし、この子機選択スイッチの設定内容と異なる設定内容の親機或いは室内子機を他グループとして、親機或いは室内子機に対して、グループ化して室内呼びのデータを送受する制御手段と、を備えたことを特徴とするインターホン装置。
【請求項２】
複数の玄関子機と複数の室内子機と前記玄関子機及び前記室内子機が接続される親機とからなるインターホン装置において、前記複数の玄関子機からの着信信号をそれぞれ検出する着信検出工程と、この着信検出工程により検出された前記玄関子機からの着信信号に基づいて着信音の鳴動や着信の表示を行なう着信動作をさせるか否か予め設定する子機選択工程と、親機と室内子機との間或いは室内子機間で呼び出しを行う室内呼出工程と、この室内呼出工程により室内呼びが行われた場合に、室内呼びを行った親機或いは室内子機の子機選択工程による設定内容と同じ設定内容の親機或いは室内子機を自グループとし、この子機選択工程による設定内容と異なる設定内容の親機或いは室内子機を他グループとして、親機或いは室内子機に対して、グループ化して室内呼びのデータを送受する制御工程と、を含むことを特徴とするインターホンにおける室内呼出方法。
【請求項３】
前記玄関子機にカメラユニットを付加するとともに、前記親機及び前記室内子機にモニターをそれぞれ付加して、前記制御手段が、前記玄関子機からの着信信号に基づいて前記モニターに映像起動させることを特徴とする請求項１記載のインターホン装置。
【請求項４】
前記室内呼出手段は、自グループ呼びと他グループ呼び用の各々の呼出ボタンを有し、自グループと他グループを選択して呼び出すことを特徴とする請求項１または請求項３に記載のインターホン装置。
【請求項５】
自グループ呼びによる呼出の場合に点滅・点灯する自グループ呼出ランプと、他グループ呼びによる他グループからの呼出の場合に点滅・点灯する他グループ呼出ランプとを備えたことを特徴とする請求項４記載のインターホン装置。
【手続補正３】
【補正対象書類名】明細書
【補正対象項目名】０００４
【補正方法】変更
【補正の内容】
【０００４】
【発明が解決しようとする課題】
そこで、本発明は上記の問題点を解消し、親機及び室内子機にそれぞれ子機選択スイッチ（ＳＷ）を備え、さらに選択した玄関子機毎に室内呼びをグループ化し、親機或いは室内子機から自グループと他グループに分けて室内呼びのデータを送出し、各々の機器で自己が設定したグループの室内呼びにのみ応答できるよう構成したインターホン装置を提供することを目的とする。
【手続補正４】
【補正対象書類名】明細書
【補正対象項目名】０００５
【補正方法】変更
【補正の内容】
【０００５】
【課題を解決するための手段】
上記問題点を解決するために本発明は、複数の玄関子機と複数の室内子機と前記玄関子機及び前記室内子機が接続される親機とからなるインターホン装置において、前記親機及び前記室内子機は、前記複数の玄関子機からの着信信号をそれぞれ検出する着信検出手段と、この着信検出手段により検出された前記玄関子機からの着信信号に基づいて着信音の鳴動や着信の表示を行なう着信動作をさせるか否か予め設定する子機選択スイッチと、親機と室内子機との間或いは室内子機間で呼び出しを行う室内呼出手段と、この室内呼出手段により室内呼びが行われた場合に、室内呼びを行った親機或いは室内子機の子機選択スイッチの設定内容と同じ設定内容の親機或いは室内子機を自グループとし、この子機選択スイッチの設定内容と異なる設定内容の親機或いは室内子機を他グループとして、親機或いは室内子機に対して、グループ化して室内呼びのデータを送受する制御手段と、を備えたことを特徴とする。
【手続補正５】
【補正対象書類名】明細書
【補正対象項目名】０００７
【補正方法】変更
【補正の内容】
【０００７】
【発明の実施の形態】
本発明の請求項１に記載される発明は、複数の玄関子機と複数の室内子機と前記玄関子機及び前記室内子機が接続される親機とからなるインターホン装置において、前記親機及び前記室内子機は、前記複数の玄関子機からの着信信号をそれぞれ検出する着信検出手段と、この着信検出手段により検出された前記玄関子機からの着信信号に基づいて着信音の鳴動や着信の表示を行なう着信動作をさせるか否か予め設定する子機選択スイッチと、親機と室内子機との間或いは室内子機間で呼び出しを行う室内呼出手段と、この室内呼出手段により室内呼びが行われた場合に、室内呼びを行った親機或いは室内子機の子機選択スイッチの設定内容と同じ設定内容の親機或いは室内子機を自グループとし、この子機選択スイッチの設定内容と異なる設定内容の親機或いは室内子機を他グループとして、親機或いは室内子機に対して、グループ化して室内呼びのデータを送受する制御手段と、を備えたことを特徴とするインターホン装置であり、それぞれが自グループ、他グループに分けて室内呼びのデータを送受するので、各々は自己が設定したグループの室内呼びにのみに応答できるという作用を有する。
【手続補正６】
【補正対象書類名】明細書
【補正対象項目名】０００８
【補正方法】変更
【補正の内容】
【０００８】
また、本発明の請求項２に記載される発明は、複数の玄関子機と複数の室内子機と前記玄関子機及び前記室内子機が接続される親機とからなるインターホン装置において、前記複数の玄関子機からの着信信号をそれぞれ検出する着信検出工程と、この着信検出工程により検出された前記玄関子機からの着信信号に基づいて着信音の鳴動や着信の表示を行なう着信動作をさせるか否か予め設定する子機選択工程と、親機と室内子機との間或いは室内子機間で呼び出しを行う室内呼出工程と、この室内呼出工程により室内呼びが行われた場合に、室内呼びを行った親機或いは室内子機の子機選択工程による設定内容と同じ設定内容の親機或いは室内子機を自グループとし、この子機選択工程による設定内容と異なる設定内容の親機或いは室内子機を他グループとして、親機或いは室内子機に対して、グループ化して室内呼びのデータを送受する制御工程と、を含むことを特徴とするインターホンにおける室内呼出方法であり、それぞれが自グループ、他グループに分けて室内呼びのデータを送受するので、各々は自己が設定したグループの室内呼びにのみに応答できるという作用を有する。
【手続補正７】
【補正対象書類名】明細書
【補正対象項目名】０００９
【補正方法】変更
【補正の内容】
【０００９】
また、本発明の請求項３に記載される発明は、請求項１記載のインターホン装置において、前記玄関子機にカメラユニットを付加するとともに、前記親機及び前記室内子機にモニターをそれぞれ付加して、前記制御手段が、前記玄関子機からの着信信号に基づいて前記モニターに映像起動させることを特徴としたものであり、請求項１記載のインターホン装置と同様にテレビドアホン装置においても、それぞれが自グループ、他グループに分けて室内呼びのデータを送受するので、各々は自己が設定したグループの室内呼びにのみに応答できるという作用を有する。
【手続補正８】
【補正対象書類名】明細書
【補正対象項目名】００１０
【補正方法】変更
【補正の内容】
【００１０】
また、本発明の請求項４に記載される発明は、請求項１または請求項３に記載のインターホン装置において、室内呼出手段が、自グループ呼びと他グループ呼び用の各々の呼出ボタンを有し、自グループと他グループを選択して呼び出すことを特徴とするものであり、親機または室内子機が、自グループまたは他グループを選択して呼び出すことができるという作用を有する。
【手続補正９】
【補正対象書類名】明細書
【補正対象項目名】００１１
【補正方法】変更
【補正の内容】
【００１１】
また、本発明の請求項５に記載される発明は、請求項４記載のインターホン装置において、自グループ呼びによる呼出の場合に点滅・点灯する自グループ呼出ランプと、他グループ呼びによる他グループからの呼出の場合に点滅・点灯する他グループ呼出ランプとを備えたことを特徴とするものであり、ランプ表示により自グループ、他グループのどちらのグループが呼び出されたかを判別できるという作用を有する。
【手続補正１０】
【補正対象書類名】明細書
【補正対象項目名】００３４
【補正方法】変更
【補正の内容】
【００３４】
【発明の効果】
以上説明したように本発明のインターホン装置は、複数の玄関子機と室内子機を接続できるインターホンにおいて、設定によって指定された玄関子機からの着信のみを着信として着信動作を行ない、設定以外からの玄関子機からの着信に対しては着信音鳴動やテレビドアホンであれば、映像起動をさせない子機選択ＳＷを有し、更にその選択した玄関子機毎に室内呼びをグループ化し、自グループと他グループを区別して制御する制御部と、室内呼びのための呼出ボタンを有した親機と室内子機からなるものであり、それぞれが自グループ、他グループに分けて室内呼びのデータを送出するので、各々は自己が設定したグループの室内呼びにのみに応答できるという効果を有する。また、室内呼びのための呼出ボタンを自グループと他グループ用に分けて設けることにより、グループを選択して呼び出すことができるという効果を有する。